【手続補正書】
【提出日】平成27年9月29日(2015.9.29)
【手続補正１】
【補正対象書類名】特許請求の範囲
【補正対象項目名】全文
【補正方法】変更
【補正の内容】
【特許請求の範囲】
【請求項１】
物体の表面温度を測定する熱放射線温度計において、
熱放射線を受ける開口を有するセンサ筐体を備えた熱放射線センサと、
物体によって放射される熱放射線を受けるように構成された光学装置と、
熱放射線センサに熱的に結合される基準温度センサと、
外表面、内表面及び熱放射線センサを収める内部空洞を有し、熱放射線センサに接触して熱的に接続される熱遮蔽体と、
熱放射線センサ及び熱遮蔽体に熱的に結合される発熱体と、
発熱体、熱放射線センサ及び基準温度センサに電気的に結合され、熱放射線センサ及び基準温度センサにより生成された信号を処理して物体の表面温度を計算するように構成されるとともに、熱放射線センサ及び熱遮蔽体の温度が互いに略近くなり、物体の予想表面温度に近くなるように、基準温度センサにより生成された信号を処理して発熱体に供給されるエネルギー量を制御するように構成される電子回路と、
熱放射線センサ、光学装置、及び熱遮蔽体を囲うとともに、互いの位置を固定的に合わせる装置筐体と、を備え、
光学装置は、物体によって放射される熱放射線を熱放射線センサのセンサ筐体に集中させるように構成され、
熱遮蔽体の内表面は熱吸収塗料膜で被覆され、
熱遮蔽体の内部空洞が熱放射センサの視野内にあり、
熱遮蔽体は、さらに、装置筐体の内側表面から放射する迷放射線がセンサ筐体の開口に入ることを略防止するように装置筐体内に構成されることを特徴とする熱放射線温度計。
【請求項２】
発熱体は熱遮蔽体の外表面上にあることを特徴とする請求項１に記載の熱放射線温度計。
【請求項３】
熱放射線センサは、
開口で受けた熱放射線を検出するように位置する熱検出要素を有し、装置筐体内にある内部空洞をさらに備え、
熱検出要素は、基準温度センサに熱的に結合されることを特徴とする請求項１に記載の熱放射線温度計。
【請求項４】
光学装置は、熱放射線センサのセンサ筐体の開口内に位置するレンズを備えることを特徴とする請求項３に記載の熱放射線温度計。
【請求項５】
レンズは、フレネルレンズであることを特徴とする請求項４に記載の熱放射線温度計。
【請求項６】
光学装置は、光学装置の焦点距離とほぼ等しい熱放射線センサからの距離における視野内に位置することを特徴とする請求項１に記載の熱放射線温度計。
【請求項７】
光学装置は、レンズを備えることを特徴とする請求項６に記載の熱放射線温度計。
【請求項８】
レンズは、高密度ポリエチレン（ＨＤＰＥ）からなることを特徴とする請求項７に記載の熱放射線温度計。
【請求項９】
光学装置はミラーを備えることを特徴とする請求項６に記載の熱放射線温度計。
【請求項１０】
ミラーは、物体によって放射される熱放射線に対して熱遮蔽体の内部空洞を閉鎖する閉鎖位置と、物体から放射される熱放射線に対して熱遮蔽体の内部空洞を開放する開放位置との間で回転可能であることを特徴とする請求項９に記載の熱放射線温度計。
【請求項１１】
ミラーは、放物線反射面を有し、放物線反射面は、カーブミラーが開放位置にあるときに、熱放射線を熱放射線センサに向けることを特徴とする請求項９に記載の熱放射線温度計。
【請求項１２】
物体の表面上の視野の少なくとも一部を略照明する発光体をさらに備え、
ミラーは、カーブミラーが閉鎖位置にあるときに発光体の光線を物体の表面に向ける角度の付いた反射面を有することを特徴とする請求項９に記載の熱放射線温度計。
【請求項１３】
物体の表面の視野の少なくとも一部を略照明する発光体をさらに備えたことを特徴とする請求項１に記載の熱放射線温度計。
【請求項１４】
視野の内側及び外側を移動可能な内面を有するシャッターと、
視野の内側及び外側で内面を移動させるシャッター制御装置と、をさらに備え、
内面は、前記シャッターが視野の内側にあるときに、内部空洞の隣に位置することを特徴とする請求項１に記載の熱放射線温度計。
【請求項１５】
シャッターは、物体によって放射される熱放射線に対して熱遮蔽体の内部空洞を閉鎖する閉鎖位置と、物体によって放射される熱放射線に対して熱遮蔽体の内部空洞を開放する開放位置との間で回転可能であることを特徴とする請求項１４に記載の熱放射線温度計。
【請求項１６】
シャッターの内面は、４−１５μｍのスペクトラル範囲内の波長を有する赤外線で反射性をほぼ有することを特徴とする請求項１４に記載の熱放射線温度計。
【請求項１７】
外表面に隣接した断熱材をさらに備えたことを特徴とする請求項１に記載の熱放射線温度計。
【請求項１８】
熱遮蔽体の内表面は、４−１５μｍのスペクトラル範囲内の波長を有する赤外線で反射性をほぼ有しないことを特徴とする請求項１に記載の熱放射線温度計。
【請求項１９】
装置筐体に固定される保護窓をさらに備え、保護窓は、物体によって放射される熱放射線を受け、熱放射線を光学装置に伝えることを特徴とする請求項１に記載の熱放射線温度計。
【請求項２０】
物体の表面温度を測定する熱放射線温度計において、
熱放射線を受ける開口を有するセンサ筐体を備えた熱放射線センサと、
物体によって放射される熱放射線を受けるように構成されたレンズと、
内表面を有し、熱放射線センサを囲うように構成され、さらに、熱放射線センサに接触して熱的に接続される熱遮蔽体と、
熱放射線センサに熱的に結合される基準温度センサと、
熱放射線センサ及び熱遮蔽体に熱的に結合される発熱体と、
熱放射線センサ及び基準温度センサから信号を受信し、熱放射線センサの温度が物体の予想表面温度の略範囲にあるように発熱体を作動及び停止するように構成された電子回路と、
熱放射線センサ、レンズ、熱遮蔽体、基準温度センサ、発熱体、及び電子回路を囲うとともに位置付ける装置筐体と、を備え、
レンズは、物体によって放射される熱放射線を熱放射線センサのセンサ筐体に集中させるように構成され、
熱遮蔽体の内表面は、熱吸収塗料膜で被覆され、熱放射線センサの視野内にあり、
視野の内側及び外側を移動可能な内面を有するシャッターと、
視野の内側及び外側で内面を移動させるシャッター制御装置と、をさらに備え、
電子回路はシャッター制御装置を制御するようにさらに構成され、
熱遮蔽体は、さらに、装置筐体の内側表面から放射する迷放射線がセンサ筐体の開口に入ることを略防止するように装置筐体内に構成されることを特徴とする熱放射線温度計。
【請求項２１】
物体の表面温度を測定する熱放射線温度計において、
熱放射線を受ける開口を有するセンサ筐体を備えた熱放射線センサと、
物体によって放射される熱放射線を受け、熱放射線を熱放射線センサのセンサ筐体に集中させるミラーと、
内表面を有し、熱放射線センサを囲うように構成され、さらに、熱放射線センサに接触して熱的に接続される熱遮蔽体と、
熱放射線センサに熱的に結合される基準温度センサと、
熱放射線センサ及び熱遮蔽体に熱的に結合される発熱体と、
熱放射線センサ及び基準温度センサから信号を受信し、熱放射線センサの温度が物体の予想表面温度の略範囲にあるように発熱体を作動及び停止するように構成された電子回路と、
熱放射線センサ、ミラー、熱遮蔽体、基準温度センサ、発熱体、及び電子回路を囲うとともに位置付ける装置筐体と、を備え、
ミラーは、物体によって放射される熱放射線を熱放射線センサのセンサ筐体に集中させるように構成され、
熱遮蔽体の内表面は、熱吸収塗料膜を有し、熱放射線センサの視野内にあり、
熱遮蔽体は、さらに、装置筐体の内側表面から放射する迷放射線がセンサ筐体の開口に入ることを略防止するように装置筐体内に構成されることを特徴とする熱放射線温度計。
【請求項２２】
熱放射線センサを備える熱放射線温度計により物体の表面温度を離れて測定する方法において、
熱放射線センサのセンサ筐体に接触して熱的に接続され、熱吸収塗料膜で被覆されるとともに熱放射線センサの視野内にある内表面を有し、熱放射線温度計の装置筐体の内側表面から放射される迷熱放射線がセンサ筐体の開口に入ることを略防止するように構成された熱遮蔽体に熱放射線センサを設ける行程と、
熱放射センサ及び熱遮蔽体を加熱して、物体の予想表面温度に近い温度に到達させる工程と、
物体から放射される熱放射線を熱放射線センサのセンサ筐体に集中させる行程と、
熱放射線センサの出力信号に応じて、物体から放射される熱放射線の熱流束を決定する行程と、
物体の表面温度を熱流束及びセンサ温度の関数として計算する行程と
熱放射線温度計の表示部に物体の計算された温度を表示する行程と、
を備えることを特徴とする方法。